(57)【要約】【課題】作業者別の移動時間、設備点検時間を管理対象として設備維持管理業務により至便な設備維持管理業務用地図表示システム及び設備維持管理業務用地図表示装置並びに設備維持管理業務用地図表示方法を提供する。【解決手段】画面表示機器ＤＤから複数の点検作業者および点検対象の設備を指定し、地図表示装置ＧＩＳが前記点検作業者が所有する端末装置からのＧＰＳ情報に基づいて地点情報、前記点検作業者が移動する速度情報、点検時間、前記点検作業者の移動を停止させる障害要素における前記点検作業者の停止時間をデータ格納部ＤＴＭに追加することにより設備点検業務の計画を作業者別に追加する設備維持管理業務用地図表示方法。【選択図】図１Ａ
2014191715.tif 000002
【特許請求の範囲】
【請求項１】
画面表示機器から複数の点検作業者および点検対象の設備を指定し、地図表示装置が前記点検作業者が所有する端末装置からのＧＰＳ情報に基づいて地点情報、前記点検作業者が移動する速度情報、点検時間、前記点検作業者の移動を停止させる障害要素における前記点検作業者の停止時間をデータ格納部に追加することにより設備点検業務の計画を作業者別に追加する設備維持管理業務用地図表示方法。
【請求項２】
請求項１に記載の設備維持管理業務用地図表示方法において、前記画面表示機器から新たな点検対象の設備を追加すると共に既存の点検対象の設備を点検対象外へ変更し、前記地図表示装置が前記データ格納部に格納された前記地点情報、前記速度情報、前記点検時間、及び前記障害要素における停止時間を更新することにより設備点検業務の計画を作業者別に修正する設備維持管理業務用地図表示方法。
【請求項３】
請求項１または請求項２に記載の設備維持管理業務用地図表示方法において、前記データ格納部に格納された作業者別の前記速度情報、前記点検時間、及び選択された前記点検対象の設備の各情報に基づいて、前記地図表示装置が設備点検業務の作業者別の予測所要時間を算出し、前記画面表示機器の画面に表示された地図の上に表示する設備維持管理業務用地図表示方法。
【請求項４】
請求項１〜請求項３の何れか一に記載の設備維持管理業務用地図表示方法において、作成した点検計画に従って前記点検作業者が点検業務を実施している間に、前記ＧＰＳ情報による位置情報をもとに、前記移動速度、前記点検時間、前記障害要素における待ち時間を算出し、この算出に基づいて、前記データ格納部に格納された作業者別の前記速度情報、前記点検時間、及び前記障害要素における待ち時間の情報を動的に更新する設備維持管理業務用地図表示方法。
【請求項５】
請求項１〜請求項４の何れか一に記載の設備維持管理業務用地図表示方法において、前記ＧＰＳ情報による位置情報をもとに、前記地図表示装置が、前記点検作業者が通過した点検ルート、点検済みの前記設備、前記点検作業者の移動時間の実績値、及び前記点検時間の実績値を算出し、この算出に基づいて点検業務の進捗状況を前記画面表示機器の画面に表示された地図の上に表示する設備維持管理業務用地図表示方法。
【請求項６】
請求項１〜請求項５の何れか一に記載の設備維持管理業務用地図表示方法において、前記ＧＰＳ情報による位置情報をもとに、地図表示装置が、前記点検作業者の移動時間および前記点検時間の計画値と実績値との差異に基づいて点検業務の終了時間の予測値、及び点検所要時間の予測値を算出し、この算出した点検業務の終了時間の予測値、及び点検所要時間の予測値を、前記画面表示機器の画面に表示された地図の上に表示する設備維持管理業務用地図表示方法。
【請求項７】
請求項１〜請求項６の何れか一に記載の設備維持管理業務用地図表示方法において、前記画面表示機器の画面に表示された地図の上に表示された作業者の点検ルートに迂回地点を、前記画面表示機器の画面に表示された地図の上に指定することにより、地図表示装置が前記点検ルートを変更し、前記データ格納部に格納された前記地点情報、前記速度情報、前記点検時間、前記障害要素における停止時間を更新する設備維持管理業務用地図表示方法。
【請求項８】
画面表示機器から複数の点検作業者および点検対象の設備が指定され、前記点検作業者が所有する端末装置からのＧＰＳ情報に基づいて地点情報、前記点検作業者が移動する速度情報、点検時間、前記点検作業者の移動を停止させる障害要素における前記点検作業者の停止時間がデータ格納部に追加されることにより設備点検業務の計画が作業者別に追加される設備維持管理業務用地図表示装置。
【請求項９】
請求項８に記載の設備維持管理業務用地図表示装置において、前記画面表示機器から新たな点検対象の設備が追加されると共に既存の点検対象の設備が点検対象外へ変更されることにより、前記データ格納部に格納された前記地点情報、前記速度情報、前記点検時間、及び前記障害要素における停止時間が更新され設備点検業務の計画が作業者別に修正されることを特徴とする設備維持管理業務用地図表示装置。
【請求項１０】
請求項８または請求項９に記載の設備維持管理業務用地図表示装置において、前記データ格納部に格納された作業者別の前記速度情報、前記点検時間、及び選択された前記点検対象の設備の各情報に基づいて、設備点検業務の作業者別の予測所要時間を算出し、前記画面表示機器の画面に表示された地図の上に表示する設備維持管理業務用地図表示装置。
【請求項１１】
請求項８〜請求項１０の何れか一に記載の設備維持管理業務用地図表示装置において、作成した点検計画に従って前記点検作業者が点検業務を実施している間に、前記ＧＰＳ情報による位置情報をもとに、前記移動速度、前記点検時間、前記障害要素における待ち時間を算出し、この算出に基づいて、前記データ格納部に格納された作業者別の前記速度情報、前記点検時間、及び前記障害要素における待ち時間の情報を動的に更新する設備維持管理業務用地図表示装置。
【請求項１２】
請求項８〜請求項１１の何れか一に記載の設備維持管理業務用地図表示装置において、前記ＧＰＳ情報による位置情報をもとに、前記点検作業者が通過した点検ルート、点検済みの前記設備、前記点検作業者の移動時間の実績値、及び前記点検時間の実績値を算出し、この算出に基づいて点検業務の進捗状況を前記画面表示機器の画面に表示された地図の上に表示する設備維持管理業務用地図表示装置。
【請求項１３】
請求項８〜請求項１２の何れか一に記載の設備維持管理業務用地図表示装置において、前記ＧＰＳ情報による位置情報をもとに、前記点検作業者の移動時間および前記点検時間の計画値と実績値との差異に基づいて点検業務の終了時間の予測値、及び点検所要時間の予測値を算出し、この算出した点検業務の終了時間の予測値、及び点検所要時間の予測値を、前記画面表示機器の画面に表示された地図の上に表示する設備維持管理業務用地図表示装置。
【発明の詳細な説明】
【技術分野】
【０００１】
この発明は電力会社配電部門が管理する電力設備（電柱、電線、開閉器など）の維持管理業務を地図表示装置あるいは地図表示システムを使用して行う場合等に適用される設備維持管理業務用地図表示方法及び設備維持管理業務用地図表示装置に関するものである。
【背景技術】
【０００２】
地図情報データベースを使用して地図上に表示する方法やシステムとして、店舗、行楽地、ランドマーク等を表示する地点案内地図の表示方法が特許文献１に、ＧＰＳ機能付き携帯電話を有する歩行者に対して歩道、エスカレータ、移動速度を変動させる道の勾配・踏み切り、交通信号などの情報を、歩行者の携帯電話に表示される地図上に表示する経路決定支援情報の提供方法、システムが特許文献２に、それぞれ開示されている。
【０００３】
電力会社配電部門が維持管理する電力設備は、変電所から一般家庭に電気を供給するための電線、電柱および電柱上に設置された変圧器や開閉器などの設備（以下、「設備」と記す）。
電力会社配電部門での設備を維持管理する業務には、設備の点検を計画し、実施する業務（以下、「点検業務」と記す）がある。地図を表示する装置(以下、「地図表示装置」と記す)を電力会社配電部門の設備管理業務で利用する場合、業務に必要な設備の情報をデータベース（以降、「ＤＢ」と記す）で管理している。
【先行技術文献】
【特許文献】
【０００４】
【特許文献１】特開２００７−１１１６１号公報
【特許文献２】特開２００４−３７４１３号公報
【発明の概要】
【発明が解決しようとする課題】
【０００５】
特許文献１、特許文献２に開示されている地図情報ＤＢを使用する地図表示装置を、電力会社配電部門での設備管理業務等の設備管理業務で利用する場合、設備の有無、設備設置地点、設備の購入時期、設備の購入先等、設備自体の管理は行うが、また、場合によっては地図上に点検対象設備の指定、点検ルート等の指定を行えるようにする開発も行われつつある。
地図上に点検対象設備の指定、点検ルート等の指定を行えるようにする場合、点検作業に要する点検作業のための出発地点と最初の点検対象設備との間の移動時間、最初の点検対象設備と次の点検対象設備との間の移動時間、設備点検時間を蓄積でき、これら蓄積された移動時間、設備点検時間を参照した点検計画、更には同一点検対象区間における異なる作業者毎の移動時間、設備点検時間、つまり作業者別の移動時間、設備点検時間、を蓄積し、これら蓄積された作業者別の移動時間、設備点検時間を参照して作業者の指定および点検の計画、点検所要時間の予測が行えるようにし、しかも各作業者が点検業務中にそれら移動時間、設備点検時間を計測して地図表示装置に手入力する必要がないようにすることが好ましい。
【０００６】
この発明は、このような実情に鑑みてなされたもので、作業者別の移動時間、設備点検時間を管理対象として設備維持管理業務に、より至便な設備維持管理業務用地図表示方法及び設備維持管理業務用地図表示装置を提供することを目的とするものである。
【課題を解決するための手段】
【０００７】
この発明に係る設備維持管理業務用地図表示方法は、画面表示機器から複数の点検作業者および点検対象の設備を指定し、地図表示装置が前記点検作業者が所有する端末装置からのＧＰＳ情報に基づいて地点情報、前記点検作業者が移動する速度情報、点検時間、前記点検作業者の移動を停止させる障害要素における前記点検作業者の停止時間をデータ格納部に追加することにより設備点検業務の計画を作業者別に追加するものである。
また、この発明に係る設備維持管理業務用地図表示装置は、画面表示機器から複数の点検作業者および点検対象の設備が指定され、前記点検作業者が所有する端末装置からのＧＰＳ情報に基づいて地点情報、前記点検作業者が移動する速度情報、点検時間、前記点検作業者の移動を停止させる障害要素における前記点検作業者の停止時間がデータ格納部に追加されることにより設備点検業務の計画が作業者別に追加されるものである。
【発明の効果】
【０００８】
この発明は、画面表示機器から複数の点検作業者および点検対象の設備を指定し、地図表示装置が前記点検作業者が所有する端末装置からのＧＰＳ情報に基づいて地点情報、前記点検作業者が移動する速度情報、点検時間、前記点検作業者の移動を停止させる障害要素における前記点検作業者の停止時間をデータ格納部に追加することにより設備点検業務の計画を作業者別に追加するので、また、画面表示機器から複数の点検作業者および点検対象の設備が指定され、前記点検作業者が所有する端末装置からのＧＰＳ情報に基づいて地点情報、前記点検作業者が移動する速度情報、点検時間、前記点検作業者の移動を停止させる障害要素における前記点検作業者の停止時間がデータ格納部に追加されることにより設備点検業務の計画が作業者別に追加されるので、作業者別の移動時間、設備点検時間を管理対象として設備維持管理業務により至便な設備維持管理業務用地図表示方法及び設備維持管理業務用地図表示装置を提供することができる効果がある。
【図面の簡単な説明】
【０００９】
【図１Ａ】この発明における実施の形態１〜６の対象である設備維持管理業務用地図表示システムおよび設備維持管理業務用地図表示装置の一例をブロック図で例示するシステム構成図である。
【図１Ｂ】この発明における実施の形態１〜６の対象である設備維持管理業務用地図表示システムの一例のシステム構成の具体的な一覧を例示する図である。
【図２】この発明における実施の形態１〜６の対象である設備維持管理業務用地図表示システム及び設備維持管理業務用地図表示装置並びに設備維持管理業務用地図表示方法の一例のイメージを例示する図である。
【図３】この発明の実施の形態１を示す図で、画面表示機器の表示画面に表示する画面の一覧の事例および画面の一覧の事例における作業者管理画面、点検計画管理画面、地図表示操作画面、点検開始時刻入力画面の各画面構成の一例を示す図である。
【図４】この発明の実施の形態１を示す図で、業務データベース（略称：業務ＤＢ）および設備データベース（略称：設備ＤＢ）に形成されたテーブルの構成の事例および各テーブルのテーブル構造一覧を例示する図である。
【図５】この発明の実施の形態１を示す図で、図４に例示の各テーブルの参照関係を例示する図である。
【図６Ａ】この発明の実施の形態１を示す図で、図４に例示の点検計画管理テーブルおよび地点管理テーブルの各々のテーブル構造およびテーブル例を例示する図である。
【図６Ｂ】この発明の実施の形態１を示す図で、図４に例示の速度管理テーブルおよび作業者管理テーブルの各々のテーブル構造およびテーブル例を例示する図である。
【図６Ｃ】この発明の実施の形態１を示す図で、図４に例示の作業者別速度管理テーブルのテーブル構造およびテーブル例を例示する図である。
【図６Ｄ】この発明の実施の形態１を示す図で、図４に例示の作業者別点検時間管理テーブルおよび障害要素管理テーブルの各々のテーブル構造およびテーブル例を例示する図である。
【図６Ｅ】この発明の実施の形態１を示す図で、図４に例示の設備管理テーブルのテーブル構造およびテーブル例を例示する図である。
【図７】この発明の実施の形態１を示す図で、操作・動作・処理をフローチャートで説明するための図である。
【図８Ａ】この発明の実施の形態１を示す図で、図７におけるステップＳＴ７１〜ＳＴ７５までの点検計画追加の操作・動作・処理のイメージを例示する図である。
【図８Ｂ】この発明の実施の形態１を示す図で、図７におけるステップＳＴ７６〜ＳＴ７９までの点検計画追加の操作・動作・処理のイメージを例示する図である。
【図９Ａ】この発明の実施の形態１を示す図で、図７におけるステップＳＴ７１０「地点情報の更新」における操作・動作・処理の詳細な動作・処理をフローチャートで説明するための図である。
【図９Ｂ】この発明の実施の形態１を示す図で、図９Ａに例示の操作・動作・処理のイメージを例示する図である。
【図１０Ａ】この発明の実施の形態１を示す図で、図７におけるステップＳＴ７１１「速度情報の更新」における操作・動作・処理の詳細な操作・動作・処理をフローチャートで説明するための図である。
【図１０Ｂ】この発明の実施の形態１を示す図で、図１０Ａに例示の操作・動作・処理のイメージを例示する図である。
【図１１Ａ】この発明の実施の形態１を示す図で、図７におけるステップＳＴ７１２「作業者別速度情報の更新」における操作・動作・処理の詳細な操作・動作・処理をフローチャートで説明するための図である。
【図１１Ｂ】この発明の実施の形態１を示す図で、図１１Ａに例示の操作・動作・処理のイメージを例示する図である。
【図１２Ａ】この発明の実施の形態１を示す図で、図７におけるステップＳＴ７１３「作業者別点検時間の更新」における操作・動作・処理の詳細な操作・動作・処理をフローチャートで説明するための図である。
【図１２Ｂ】この発明の実施の形態１を示す図で、図１２Ａに例示の操作・動作・処理のイメージを例示する図である。
【図１３Ａ】この発明の実施の形態１を示す図で、図７におけるステップＳＴ７１４「障害要素の更新」における操作・動作・処理の詳細な操作・動作・処理をフローチャートで説明するための図である。
【図１３Ｂ】この発明の実施の形態１を示す図で、図１３Ａに例示の操作・動作・処理のイメージを例示する図である。
【図１４】この発明の実施の形態２を示す図で、設備の点検業務の計画を修正する場合の操作・動作・処理をフローチャートで説明するための図である。
【図１５】この発明の実施の形態２を示す図で、図１４におけるステップＳＴ１４１〜ＳＴ７５までの点検計画追加の操作・動作・処理のイメージを例示する図である。
【図１６】この発明の実施の形態２を示す図で、設備の点検業務の計画を削除する場合のイメージを例示する図である。
【図１７】この発明の実施の形態３を示す図で、設備の点検業務の所要時間を作業者別に予測する場合の操作・動作・処理をフローチャートで説明するための図である。
【図１８Ａ】この発明の実施の形態３を示す図で、図１７における操作・動作・処理のイメージ図である。
【図１８Ｂ】この発明の実施の形態３を示す図で、図１７における操作・動作・処理のイメージ図である。
【図１８Ｃ】この発明の実施の形態３を示す図で、図１７における操作・動作・処理の説明図である。
【図１８Ｄ】この発明の実施の形態３を示す図で、図１７における操作・動作・処理の説明図である。
【図１９】この発明の実施の形態４を示す図で、作業者の点検業務の間に移動速度・点検時間・障害要素の時間を動的に更新する場合の操作・動作・処理をフローチャートで説明するための図である。
【図２０】この発明の実施の形態４を示す図で、図１９における操作・動作・処理のイメージを例示する図である。
【図２１Ａ】この発明の実施の形態４を示す図で、図１９におけるステップＳＴ１９４「作業者別速度情報の更新」における操作・動作・処理の詳細な操作・動作・処理をフローチャートで説明するための図である。
【図２１Ｂ】この発明の実施の形態４を示す図で、図２１Ａに例示の操作・動作・処理の説明およびイメージを例示する図である。
【図２２Ａ】この発明の実施の形態４を示す図で、図１９におけるステップＳＴ１９５「作業者別点検時間の更新」における操作・動作・処理の詳細な操作・動作・処理をフローチャートで説明するための図である。
【図２２Ｂ】この発明の実施の形態４を示す図で、図２２Ａに例示の操作・動作・処理の説明およびイメージを例示する図である。
【図２３Ａ】この発明の実施の形態４を示す図で、図１９におけるステップＳＴ１９６「障害要素の更新」における操作・動作・処理の詳細な操作・動作・処理をフローチャートで説明するための図である。
【図２３Ｂ】この発明の実施の形態４を示す図で、図２３Ａに例示の操作・動作・処理の説明およびイメージを例示する図である。
【図２４】この発明の実施の形態５を示す図で、管理者が作業者の点検業務の進捗および予想終了時間を把握する場合の操作・動作・処理をフローチャートで説明するための図である。
【図２５Ａ】この発明の実施の形態５を示す図で、イメージを例示する図である。
【図２５Ｂ】この発明の実施の形態５を示す図で、イメージを例示する図である。
【図２５Ｃ】この発明の実施の形態５を示す図で、図２４のステップＳＴ２４３およびステップＳＴ２４３における動作・処理の詳細な動作・処理をフローチャートで例示する図である。
【図２５Ｄ】この発明の実施の形態５を示す図で、イメージを例示する図である。
【図２５Ｅ】この発明の実施の形態５を示す図で、図２４のステップＳＴ２４３およびステップＳＴ２４３における動作・処理の詳細な動作・処理をフローチャートで例示する図である。
【図２５Ｆ】この発明の実施の形態５を示す図で、イメージを例示する図である。
【図２５Ｇ】この発明の実施の形態５を示す図で、図２４のステップＳＴ２４３およびステップＳＴ２４３における動作・処理の詳細な動作・処理をフローチャートで例示する図である。
【図２５Ｈ】この発明の実施の形態５を示す図で、未点検設備への予測移動時間、未点検設備の予測点検時間の算出の説明図である。
【図２５Ｉ】この発明の実施の形態５を示す図で、図２４のステップＳＴ２４３およびステップＳＴ２４３における動作・処理の詳細な動作・処理をフローチャートで例示する図である。
【図２６】この発明の実施の形態６を示す図で、作業者の点検業務の間に、点検計画を修正する場合の操作・動作・処理をフローチャートで説明するための図である。
【図２７】この発明の実施の形態６を示す図で、図２６の操作・動作・処理のイメージを例示する図である。
【発明を実施するための形態】
【００１０】
この発明の実施の形態は、点検業務を計画する際、地図を表示する装置(以下、「地図表示装置」と記す)が表示する地図と地図表示装置が管理する設備の情報をもとに、設備の位置を地図上に表示し、点検ルートを決定する。その際、設備から設備への移動時間や設備の点検時間が作業者毎に管理されておらず、地図表示装置で計画した点検業務の所要時間が予測できなかった。本発明は、点検計画を策定時、作業者別に管理された移動速度および設備点検時間を蓄積・管理することにより、点検時間を作業者別に予測し、計画的に点検業務を行うことを支援するための発明である。また、電力会社配電部門が管理する電力設備等の設備の維持管理を目的とした地図表示装置において、電力設備の点検計画策定時に、作業者別に管理された移動時間および設備点検時間などを利用することで、計画した点検業務の予測時間を作業者別に算出する設備維持管理業務用地図表示システム及び設備維持管理業務用地図表示装置並びに設備維持管理業務用地図表示方法である。
【００１１】
また、この発明の実施の形態は、移動時間・設備点検時間・障害要素（信号・踏み切り）による停止時間を蓄積・管理するために、Global Positioning System(以降、「ＧＰＳ」と記す)機能を有する携帯端末を点検作業者が利用する設備維持管理業務用地図表示システム及び設備維持管理業務用地図表示装置並びに設備維持管理業務用地図表示方法である。設備維持管理業務用地図表示システムのシステム構成図は図１に例示してある。
【００１２】
また、この発明の実施の形態は、作業者別に管理された移動時間・設備点検時間および作業者で共通の障害要素による停止時間をもとに、作業者別に点検業務に要する時間を予測する設備維持管理業務用地図表示システム及び設備維持管理業務用地図表示装置並びに設備維持管理業務用地図表示方法である。その概念を図２に例示してある。
【００１３】
また、この発明の実施の形態は、点検業務において点検作業者が点検作業のために所定の地点から地点へ移動する際、ＧＰＳを利用し、各点検作業者が保有する携帯端末から取得した時刻をもとに移動時間を算出し、移動速度を算出し、その後、地図表示装置が管理するＤＢで作業者別に管理する設備維持管理業務用地図表示システム及び設備維持管理業務用地図表示装置並びに設備維持管理業務用地図表示方法である。
【００１４】
また、この発明の実施の形態では、設備点検時間について、地図表示装置に登録した所定の設備付近において、つまり指定した点検区間において、点検作業者停止している時間をも設備点検時間とし、地図表示装置が管理するＤＢで作業者別に管理する。
【００１５】
また、この発明の実施の形態では、各点検作業者の各々の移動中の時間、障害要素（信号・踏み切り）における待ち時間についても、ＧＰＳを利用することで、その時間情報を取得し地図表示装置が管理するＤＢで管理する。
【００１６】
以下、「設備の点検業務の計画を追加する手段および方法」を実施の形態１で、「設備の点検業務の計画を修正する手段および方法」を実施の形態２で、「設備の点検業務の所要時間を作業者別に予測する手段および方法」を実施の形態３で、「作業者の点検業務の間に移動速度・点検時間・障害要素の時間を動的に更新する手段および方法」を実施の形態４で、「管理者が点検作業者の点検業務の進捗および予想終了時間を把握する手段および方法」を実施の形態５で、「点検作業者の点検業務の間に、点検計画を修正する手段および方法」を実施の形態６で、それぞれ例示する。
【００１７】
実施の形態１．
以下、この発明の実施の形態１「設備の点検業務の計画を追加する手段および方法」を図１Ａ〜図１６によって説明する。
システム構成は図１に、画面表示機器に表示される各種表示画面の構成は図３に、業務ＤＢ・設備ＤＢを構成する各種テーブルを図４に、各テーブルの詳細構造及び機能を図６Ａ〜図６Ｅに例示する。設備維持管理業務用地図表示方法・動作・処理については図７〜図１３Ｂに例示する。
図による例示については、さらに具体的には次の通りである。
設備維持管理業務用の地図表示システムおよび設備維持管理業務用の地図表示装置のシステム構成を図１Ａに例示し、
図１Ａに例示の設備維持管理業務用地図表示システムおよび設備維持管理業務用地図表示装置のシステム構成の具体的な一覧を図１Ｂに例示し、
図１Ａに例示の設備維持管理業務用地図表示システム及び設備維持管理業務用地図表示装置、並びに設備維持管理業務用地図表示方法、の一例のイメージを図２に例示し、
表示画面に表示する画面の一覧の事例および画面の一覧の事例における作業者管理画面、点検計画管理画面、地図表示操作画面、点検開始時刻入力画面の各画面構成の一例を図２に例示し、
図１における画面表示機器の表示画面に表示する画面の一覧の事例および画面の一覧の事例における作業者管理画面、点検計画管理画面、地図表示操作画面、点検開始時刻入力画面の各画面構成の一例を図３に例示し、
業務データベース（略称：業務ＤＢ）および設備データベース（略称：設備ＤＢ）に形成されたテーブルの構成の事例および各テーブルのテーブル構造一覧を図４に例示し、
図４に例示の各テーブルの参照関係を図５に例示し、
図４に例示の点検計画管理テーブルおよび地点管理テーブルの各々のテーブル構造およびテーブル例を図６Ａに例示し、
図４に例示の速度管理テーブルおよび作業者管理テーブルの各々のテーブル構造およびテーブル例を図６Ｂに例示し、
図４に例示の作業者別速度管理テーブルのテーブル構造およびテーブル例を図６Ｃに例示し、
図４に例示の作業者別点検時間管理テーブルおよび障害要素管理テーブルの各々のテーブル構造およびテーブル例を図６Ｄに例示し、
図４に例示の設備管理テーブルのテーブル構造およびテーブル例を図６Ｅに例示し、
動作・処理をフローチャートで説明するための図を図７に例示し、
図７におけるステップＳＴ７１〜ＳＴ７５までの点検計画追加の動作・処理のイメージを図８Ａに例示し、
図７におけるステップＳＴ７６〜ＳＴ７９までの点検計画追加の動作・処理のイメージを図８Ｂに例示し、
図７におけるステップＳＴ７１０「地点情報の更新」における動作・処理の詳細な動作・処理をフローチャートで説明するための図を図９Ａに例示し、
図９Ａに例示の動作・処理のイメージを図９Ｂに例示し、
図７におけるステップＳＴ７１１「速度情報の更新」における動作・処理の詳細な動作・処理をフローチャートで説明するための図を図１０Ａに例示し、
図１０Ａに例示の動作・処理のイメージを図１０Ｂに例示し、
図７におけるステップＳＴ７１２「作業者別速度情報の更新」における動作・処理の詳細な動作・処理をフローチャートで説明するための図を図１１Ａに例示し、
図１１Ａに例示の動作・処理のイメージを図１１Ｂに例示し、
図７におけるステップＳＴ７１３「作業者別点検時間の更新」における動作・処理の詳細な動作・処理をフローチャートで説明するための図を図１２Ａに例示し、
図１２Ａに例示の動作・処理のイメージを図１２Ｂに例示し、
図７におけるステップＳＴ７１４「障害要素の更新」における動作・処理の詳細な動作・処理をフローチャートで説明するための図を図１３Ａに例示し、
図１３Ａに例示の動作・処理のイメージを図１３Ｂに例示してある。
【００１８】
図１Ａに例示のように、設備維持管理業務用地図表示システムは、設備維持管理業務用地図表示装置ＧＩＳと、設備維持管理業務用地図表示装置ＧＩＳへの入力を行う入力装置ＩＰＤと、設備維持管理業務に必要な情報を設備維持管理業務用地図表示装置ＧＩＳから得て当該情報を表示画面に表示する画面表示機器ＤＤと、点検作業者が保有するＧＰＳ（Global Positioning System）機能付きおよび表示画面付きの携帯端末ＧＩＰと、設備維持管理業務用地図表示装置ＧＩＳと携帯端末ＧＩＰとの間で設備点検等の設備維持管理業務に必要な情報を通信する通信キャリアＣＣとで構成されている。
【００１９】
設備維持管理業務用地図表示装置ＧＩＳは、図１Ａに例示のように、地図情報処理部Ｇ０１、地図表示操作部Ｇ０２、画面制御部Ｇ０３、およびデータ格納部ＤＴＭを有している。
データ格納部ＤＴＭは、図１Ａに例示のように、業務データベース（以下、「業務ＤＢ」と記す）ＤＴ０１、設備データベース（以下、「設備ＤＢ」と記す）ＤＴ０２、および地図データファイルＤＴ０３を有している。
【００２０】
点検作業者は、管理者が策定した設備点検計画に沿って、設備点検業務を行う現場作業者（以降、「作業者」と記す）である。
管理者は、設備点検業務を計画し、地図表示装置ＧＩＳを用いて、作業者の設備点検の業務の進捗を管理する者である。
通信キャリアＣＣは、作業者の位置情報を取得するために利用する通信キャリアである。
【００２１】
設備維持管理業務用地図表示装置ＧＩＳの地図情報処理部Ｇ０１は、「データ格納部にアクセスし、データの追加・登録・削除を行う」機能、既知の地図情報処理ソフトウェアを利用して「ＧＰＳ機能付き携帯電話ＧＩＰからの位置情報を取得する」機能、「データ格納部ＤＴＭに格納されているデータやＧＰＳ機能付き携帯電話ＧＩＰからの位置情報・時刻情報を用いた演算を実行する」機能、既知の地図情報処理ソフトウェアを利用して「データ格納部ＤＴＭに格納されている地図データファイルおよび管理者が指定した設備の座標から点検ルートを算出する」機能等の各種機能を有している。
【００２２】
地図表示操作部Ｇ０２は、画面表示機器ＤＤに地図を表示する処理や、その地図を用いて操作するための処理を行う機能を有している。
画面制御部Ｇ０３は、画面を画面表示機器ＤＤに出力する機能を有している。
入力装置ＩＰＤは、地図表示装置ＧＩＳを利用するために必要な入力行う為に必要な装置で、例えばマウス等である。
画面表示機器ＤＤは、地図、地図上の設備、点検ルート、作業者別の点検業務の所要時間などを表示画面に表示するために必要な機器である。
【００２３】
データ格納部ＤＴＭは、地図表示装置に必要なデータが格納された格納部であり、業務ＤＢ（ＤＴ０１）、設備ＤＢ（ＤＴ０２）、および地図データファイルＤＴ０３を有している。
業務ＤＢ（ＤＴ０１）は、「作業者別の移動時間」の情報、「作業者別の設備点検時間」の情報、「障害要素（信号・踏み切り）における停止時間」の情報、等を管理するＤＢである。
設備ＤＢ（ＤＴ０２）は、設備の位置情報や属性情報などを管理するＤＢである。
地図データファイルＤＴ０３は、地図の背景の情報、道路の情報、道路において方向が変更となる地点（以降、方向変更地点）、障害情報（信号、踏切）の位置などが記述されたファイルである。
【００２４】
本実施の形態１の設備維持管理業務用地図表示システム及び設備維持管理業務用地図表示装置並びに設備維持管理業務用地図表示方法の概念は、図２に例示のように、複数の作業者（作業者Ａ、作業者Ｂ）が、同じ点検区間内を点検した場合の、作業者別の地点（道路における作業者の進行方向が変更する地点や交差点、分岐点を「地点」と言う）間および設備間の実績移動時間と、実績設備点検時間と、作業者に共通の障害要素（交通信号機、踏み切り）における実績停止時間とを、業務ＤＢ（ＤＴ０１）に格納して保存しておき、管理者が前記実績移動時間、実績設備点検時間、実績停止時間と同じ点検区間あるいは同じ点検区間を含む点検区間に対しての新たな点検計画を策定する場合、管理者が業務ＤＢ（ＤＴ０１）に格納されている前記実績移動時間、実績設備点検時間、実績停止時間、点検ルート、点検設備を、作業者別に、画面表示機器ＤＤの同一表示画面あるいは異なる表示画面に表示し、当該表示画面に表示された過去の実績情報を参照して、作業者別に点検業務の所要時間を予測して、新たな点検計画（作業者の選定、点検対象設備の選定、点検ルートの選定、他）を行うものであり、複数の作業者の実績をベースとした点検計画策定が可能となり、より的確な点検計画を容易に行うことができるようになる。
【００２５】
画面表示機器ＤＤの表示画面には、図３に例示のように、作業者を管理する作業者管理画面Ｄ００１と、点検計画を管理する点検計画管理画面Ｄ００２と、地図を表示し点検対象設備の選定および作業者の移動ルートの選定ができる地図表示操作画面Ｄ００３と、点検業務の開始時刻を入力できる開始時刻入力画面Ｄ００４とが表示される。
【００２６】
作業者管理画面Ｄ００１には、図３に例示のように、作業者ＩＤと作業者名とが表示され、作業者の確定、キャンセルの各ボタンが設けられている。
点検計画管理画面Ｄ００２には、図３に例示のように、点検ＩＤと作業者名と業務状態が表示され、追加、修正、削除、予測、点検開始、進捗確認、キャンセルの各ボタンが設けられている。
地図表示操作画面Ｄ００３には、図３に例示のように、地図データファイルＤＴ０３（図１参照）に格納されている地図情報を使って点検対象区間の地図が表示されると共に、設備ＤＢ（ＤＴ０２）（図１参照）に格納されている設備情報を使って点検対象区間の地図上に、点検対象となる設備が実際の位置に相当する位置に重ねて表示されると共に、点検区間開始地点（図３に図示の二重丸◎）および点検区間終点地点（図３に図示の黒丸●）が表示され、確定、キャンセルの各ボタンが設けられている。
開始時刻入力画面Ｄ００４には、図３に例示のように、点検業務の開始時刻を入力（選択）する為の時、分が表示され、確定、キャンセルの各ボタンが設けられている。
【００２７】
業務ＤＢ（ＤＴ０１）および設備ＤＢ（ＤＴ０２）は何れも管理テーブルを有している。
業務ＤＢ（ＤＴ０１）は、図４に例示のように、点検計画管理テーブルＴ００１、地点管理テーブルＴ００２、作業者管理テーブルＴ００３、速度管理テーブルＴ００４、作業者別速度管理テーブルＴ００５、作業者別点検時間管理テーブルＴ００６、および障害要素管理テーブルＴ００７を有している。
設備ＤＢ（ＤＴ０２）は、図４に例示のように、設備管理テーブルＴ００８、ほか（設備管理テーブルＴ００８以外のテーブルも有しているが、本実施の形態１では説明上不要であるため図示を割愛する）を有している。
【００２８】
点検計画管理テーブルＴ００１は、図４に例示のように、点検計画を管理するテーブルであり、そのテーブル構造およびテーブルの具体的な事例は図６Ａに例示の通りである。
点検計画管理テーブルＴ００１のテーブル構造は、図６Ａに例示のように、点検業務の計画を識別するＩＤである点検ＩＤ、作業者を識別するＩＤである作業者ＩＤ、点検ルート上の地点の地点ＩＤのリストである地点リスト、点検ルート上の速度の速度ＩＤのリストである速度リスト、点検対象の設備の設備ＩＤのリストである設備リスト、および点検ルート上の障害要素の障害ＩＤのリストである障害リスト、を有した構造であり、その具体的な事例は図６Ａに例示の通りである。
【００２９】
地点管理テーブルＴ００２は、図４に例示のように、地点の位置情報を格納したテーブルであって、移動時間を予測する際に利用するテーブルであり、そのテーブル構造およびテーブルの具体的な事例は図６Ａに例示の通りである。
地点管理テーブルＴ００２のテーブル構造は、図６Ａに例示のように、登録した点検ルートにおける、方向変更地点を識別するＩＤである地点ＩＤ、および前記地点の座標値である座標、を有した構造であり、その具体的な事例は図６Ａに例示の通りである。
【００３０】
作業者管理テーブルＴ００３は、図４に例示のように、作業者のＩＤと名前を紐付けて管理するためのテーブルであり、そのテーブル構造およびテーブルの具体的な事例は図６Ｂに例示の通りである。
作業者管理テーブルＴ００３のテーブル構造は、図６Ｂに例示のように、作業者を識別するＩＤである作業者ＩＤ、および作業者の氏名である作業者名、を有した構造であり、その具体的な事例は図６Ｂに例示の通りである。
【００３１】
速度管理テーブルＴ００４は、図４に例示のように、地点間の移動速度を格納したテーブルであって、移動時間を予測する際に利用するテーブルであり、そのテーブル構造およびテーブルの具体的な事例は図６Ｂに例示の通りである。
速度管理テーブルＴ００４のテーブル構造は、図６Ｂに例示のように、点検ルート上の作業者の移動速度を識別するＩＤである速度ＩＤ、点検区間あるいは点検ルートの始点となる地点の地点ＩＤである始点、点検区間あるいは点検ルートの終点となる地点の地点ＩＤである終点、を有した構造であり、その具体的な事例は図６Ｂに例示の通りである。
【００３２】
作業者別速度管理テーブルＴ００５は、図４に例示のように、地点間の作業者別の移動速度の計画値や実績値などが格納されたテーブルであって、移動時間を予測する際に利用するテーブルであり、そのテーブル構造およびテーブルの具体的な事例は図６Ｃに例示の通りである。
作業者別速度管理テーブルＴ００５のテーブル構造は、図６Ｃに例示のように、点検ルート上の速度を識別するIDである速度ID、作業者を識別するIDである作業者ID、始点・終点を結ぶ経路における速度の計画値であって作業者の移動時、動的に更新される計画速度、始点・終点を結ぶ経路を移動した回数である移動回数、および点検計画時、始点・終点を結ぶ経路における移動速度の実績値である実績速度、を有した構造であり、その具体的な事例は図６Ｃに例示の通りである。
【００３３】
作業者別点検時間管理テーブルＴ００６は、図４に例示のように、作業者別の設備の点検時間の計画値や実績値などを格納したテーブルであって設備の点検時間を予測する際に利用するテーブルであり、そのテーブル構造およびテーブルの具体的な事例は図６Ｄに例示の通りである。
作業者別点検時間管理テーブルＴ００６のテーブル構造は、図６Ｄに例示のように、設備を識別するＩＤである設備ＩＤ、作業者を識別するＩＤである作業者ＩＤ、設備の点検時間の計画値であって作業者の点検作業に伴い動的に更新される計画点検時間、設備の点検回数である点検回数、設備の点検時間の実績値である実績点検時間、および設備が点検されたことを示すフラグである点検済みフラグ、を有した構造であり、その具体的な事例は図６Ｄに例示の通りである。
【００３４】
障害要素管理テーブルＴ００７は、図４に例示のように、障害要素(信号・踏み切り)における停止時間などを格納したテーブルであって、移動時間を予測する際に利用するテーブルであり、そのテーブル構造およびテーブルの具体的な事例は図６Ｄに例示の通りである。
障害要素管理テーブルＴ００７のテーブル構造は、図６Ｄに例示のように、障害要素（信号・踏み切り）を識別するＩＤである障害ＩＤ、障害要素の座標値である座標、障害要素における停止時間の予測値であって作業者の移動に伴い動的に更新される計画停止時間、障害要素を通過した回数である通過回数、障害要素において停止した回数である停止回数、および停止時間の実績値である実績停止時間、を有した構造であり、その具体的な事例は図６Ｄに例示の通りである。
【００３５】
設備管理テーブルＴ００８は、図４に例示のように、設備の位置情報などを格納したテーブルであって、移動時間を予測する際に利用するテーブルであり、そのテーブル構造およびテーブルの具体的な事例は図６Ｅに例示の通りである。
設備管理テーブルＴ００８のテーブル構造は、図６Ｅに例示のように、設備を識別するIDである設備ID、設備の座標である座標、設備を管理するために必要な情報が格納されるカラム、を有した構造であり、その具体的な事例は図６Ｅに例示の通りである。
【００３６】
前述のような業務ＤＢ（ＤＴ０１）の点検計画管理テーブルＴ００１、地点管理テーブルＴ００２、作業者管理テーブルＴ００３、速度管理テーブルＴ００４、作業者別速度管理テーブルＴ００５、作業者別点検時間管理テーブルＴ００６、および障害要素管理テーブルＴ００７、設備ＤＢ（ＤＴ０２）の設備管理テーブルＴ００８は、複数のテーブルに同じカラム名、例えば作業者ＩＤ、速度ＩＤ、設備ＩＤ、地点ＩＤ、障害ＩＤが存在することから、複数のテーブル間には図５に例示のような参照関係を持たせてある。
【００３７】
次に、設備の点検業務の計画を追加する場合を、図２のフローチャートによって、システム構成を例示の図１と関連付けながら、図８Ａおよび図８Ｂのイメージ図を参照しながら、更には図９〜図１３（即ち図９Ａ、図９Ｂ、図１０Ａ、図１０Ｂ、図１１Ａ、図１１Ｂ、図１２Ａ、図１２Ｂ、図１３Ａ、図１３Ｂ）を参照しながら、管理者の操作、地図情報処理部Ｇ０１、地図表示操作部Ｇ０２、画面制御部Ｇ０３の動作・処理について説明する。
なお、作業者の情報について作業者管理テーブルＴ００３に情報が格納済みであるものとする。また、点検対象の設備は、設備管理テーブルＴ００８に格納されており、地図表示操作画面Ｄ００３の地図上に表示されているものとする。
【００３８】
管理者は、点検業務を実施する作業者を、作業者管理画面Ｄ００１に表示された作業者から選択する（ステップＳＴ７１）。（イメージ図である図８Ａを参照）
管理者は、作業者管理画面Ｄ００１の確定ボタンを押下する（ステップＳＴ７２）。（イメージ図である図８Ａを参照）
ステップＳＴ７２で確定ボタンが押下されると、図１の画面制御部Ｇ０３は、点検計画管理画面Ｄ００２を、画面表示機器ＤＤの表示画面に表示する（ステップＳＴ７３）。
【００３９】
次に、管理者は、ステップＳＴ７３で表示された点検計画管理画面Ｄ００２で、追加ボタンを押下する（ステップＳＴ７４）。（イメージ図である図８Ａを参照）
ステップＳＴ７２での追加ボタンの押下により、図１の地図情報処理部Ｇ０１は、図１の業務ＤＢの点検計画管理テーブルＴ００１にレコードを追加し（イメージ図である図８Ａを参照）、該当する作業者の作業者ＩＤを格納する（ステップＳＴ７５）。
次いで、図１の画面制御部Ｇ０３は、地図表示操作画面Ｄ００３を、画面表示機器ＤＤの表示画面に表示する（ステップＳＴ７６）。
管理者は、ステップＳＴ７６で地図表示操作画面Ｄ００３に表示された設備の中から、点検対象の複数の設備を、マウスなどの入力装置（以降、「マウス」と記す）を利用して、順次選択する（ステップＳＴ７７）。（イメージ図である図８Ｂを参照）
【００４０】
ステップＳＴ７７での複数の設備の順次選択により、図１の地図情報処理部Ｇ０１は、設備を点検するルート（以降、「点検ルート」と記す）を算出し、図１の地図表示操作部Ｇ０２は、点検ルートを地図表示操作画面Ｄ００３に表示する（ステップＳＴ７８）。（イメージ図である図８Ｂを参照）
管理者は、ステップＳＴ７８で地図表示操作画面Ｄ００３に表示された点検ルートを目視確認した後、確定ボタンを押下し（ステップＳＴ７９）（イメージ図である図８Ｂを参照）、点検計画の追加を終了する。
【００４１】
以降、図１の地図表示装置ＧＩＳの内部処理について記述する。
ステップＳＴ７９で確定ボタンが押下されると、図７において、図１の地図情報処理部Ｇ０１は地点情報を更新する（ステップＳＴ７１０）。
図７のステップＳＴ７１０での地図情報処理部Ｇ０１による地点情報更新処理の詳細内容は、図９Ａのフローチャートに例示してある。
【００４２】
図７のステップＳＴ７９で確定ボタンが押下されると、図９Ａのフローチャートに例示のように、図１の地図情報処理部Ｇ０１は地図データファイルＤＴ０３から得られる作業者進行方向が変更する地点や交差点、道路の分岐点（以降、「地点」と記す）の位置をもとに、点検ルートに存在する地点を抽出する（ステップＳＴ９Ａ１）。
地図情報処理部Ｇ０１は、ステップＳＴ９Ａ１で抽出した地点を、点検計画管理テーブルＴ００１の地点リストに地点ＩＤを格納する（ステップＳＴ９Ａ２）。（イメージ図である図９Ｂを参照）
ステップＳＴ９Ａ２で、地図情報処理部Ｇ０１によって点検計画管理テーブルＴ００１の地点リストに格納された地点ＩＤの順は、点検ルートの進行順に一致する。
【００４３】
地図情報処理部Ｇ０１は、点検ルート上の地点が、地点管理テーブルＴ００２に格納されているかどうかを判別し（ステップＳＴ９Ａ３）、
ステップＳＴ９Ａ３での判別の結果、点検ルート上の地点の情報が地点管理テーブルＴ００２に格納されていない場合は、地点管理テーブルＴ００２に、レコードを追加し、格納されていない地点を、地点管理テーブルＴ００２に追加格納する（ステップＳＴ９Ａ４）。（イメージ図である図９Ｂを参照）
【００４４】
次に、図７において、ステップＳＴ７１０で、図１の地図情報処理部Ｇ０１が地点情報を更新すると、図１の地図情報処理部Ｇ０１は、作業者（即ち、ＧＰＳ機能付き携帯端末ＧＩＰ）の移動の速度情報を更新する（ステップＳＴ７１１）。
図７のステップＳＴ７１１での速度情報更新処理の詳細内容は、図１０Ａのフローチャートに例示してある。
【００４５】
図７のステップＳＴ７１０で地図情報処理部Ｇ０１による地点情報更新処理が行われると、図１０Ａのフローチャートに例示のように、地図情報処理部Ｇ０１は、点検ルート上の速度情報を、点検計画管理テーブルＴ００１の「地点リスト」に格納する（ステップＳＴ１０Ａ１）。（イメージ図である図１０Ｂを参照）
【００４６】
次いで、地図情報処理部Ｇ０１は、点検ルート上の地点間の作業者の移動の速度情報が、速度管理テーブルＴ００４に格納されているかどうかを判別し（ステップＳＴ１０Ａ２）、
ステップＳＴ１０Ａ２での判別の結果、点検ルート上の地点間の作業者の移動の速度情報が速度管理テーブルＴ００４に格納されていない場合は、地図情報処理部Ｇ０１は、速度管理テーブルＴ００４のレコードに当該格納されていない速度情報を追加格納し（ステップＳＴ１０Ａ３）、速度管理テーブルＴ００４を更新する。（イメージ図である図１０Ｂを参照）
【００４７】
次に、図７において、ステップＳＴ７１１で、図１の地図情報処理部Ｇ０１が速度情報を更新すると、図１の地図情報処理部Ｇ０１は、更に作業者別速度情報を更新する（ステップＳＴ７１２）。
図７のステップＳＴ７１２での作業者別速度情報更新処理の詳細内容は、図１１Ａのフローチャートに例示してある。
【００４８】
図７のステップＳＴ７１１で地図情報処理部Ｇ０１による速度情報更新処理が行われると、図１０Ａのフローチャートに例示のように、地図情報処理部Ｇ０１は、指定した作業者（例えば、作業者ＩＤ＝Ｗ０００１）のレコードに該当する速度(例えば、速度ＩＤ＝Ｖ００６)が、作業者別速度管理テーブルＴ００５に存在するかどうか判別し（ステップＳＴ１１Ａ１）、指定した作業者のレコードに該当する速度が作業者別速度管理テーブルＴ００５に存在しない場合、地図情報処理部Ｇ０１は、作業者別速度管理テーブルＴ００５のレコードに当該速度(例えば、速度ＩＤ＝Ｖ００６)を追加し（ステップＳＴ１１Ａ２）、作業者別速度管理テーブルＴ００５を更新する。（イメージ図である図１１Ｂを参照）
【００４９】
地図情報処理部Ｇ０１は、更に、作業者別速度管理テーブルＴ００５の既存レコードの「計画速度」の平均値を算出し（ステップＳＴ１１Ａ３）、
地図情報処理部Ｇ０１は、前記ステップＳＴ１１Ａ３で算出した平均値を、作業者別速度管理テーブルＴ００５の追加した速度ＩＤのレコード（例えば、速度ＩＤ＝Ｖ００６）に対応する「計画速度」のカラムに格納する（ステップＳＴ１１Ａ４）。（イメージ図である図１１Ｂを参照）
また、追加したレコード(例えば、速度ＩＤ＝Ｖ００６)の移動回数を「０」とする（ステップＳＴ１１Ａ４）。（イメージ図である図１１Ｂを参照）
【００５０】
次いで、図７において、ステップＳＴ７１２で、図１の地図情報処理部Ｇ０１が作業者別速度情報を更新すると、図１の地図情報処理部Ｇ０１は、作業者別点検時間を更新する（ステップＳＴ７１３）。
図７のステップＳＴ７１３での作業者別点検時間更新処理の詳細内容は、図１２Ａのフローチャートに例示してある。
【００５１】
図７のステップＳＴ７１３で地図情報処理部Ｇ０１による地点情報更新処理が行われると、図１２Ａのフローチャートに例示のように、地図情報処理部Ｇ０１は、点検順に設備ＩＤをリスト化し、点検計画管理テーブルＴ００１の「設備リスト」に格納する（ステップＳＴ１２Ａ１）。（イメージ図である図１２Ｂを参照）
【００５２】
次いで、地図情報処理部Ｇ０１は、作業者別点検時間管理テーブルＴ００６に、指定した作業者（作業者ＩＤ＝Ｗ００１）のレコードに設備（設備ＩＤ＝ＦＣ００３）が存在するかどうか判別し（ステップＳＴ１２Ａ２）、指定した作業者(例えば、作業者ＩＤ＝Ｗ００１)のレコードに設備（例えば、設備ＩＤ＝ＦＣ００３）が作業者別点検時間管理テーブルＴ００６に存在しない場合、地図情報処理部Ｇ０１は作業者別点検時間管理テーブルＴ００６に設備（例えば、設備ＩＤ＝ＦＣ００３）のレコードを追加し（ステップＳＴ１２Ａ３）、作業者別点検時間管理テーブルＴ００６を更新する。（イメージ図である図１０Ｂを参照）
【００５３】
地図情報処理部Ｇ０１は、更に、作業者別点検時間管理テーブルＴ００６の既存レコードの「計画点検時間」の平均値を算出し（ステップＳＴ１２Ａ４）、
地図情報処理部Ｇ０１は、前記ステップＳＴ１２Ａ４で算出した平均値を、作業者別点検時間管理テーブルＴ００６の追加した設備ＩＤのレコード（例えば、設備ＩＤ＝ＦＣ００３）に対応する「計画点検時間」のカラムに格納する（ステップＳＴ１２Ａ５）。（イメージ図である図１２Ｂを参照）
また、追加したレコード（例えば、設備ＩＤ＝ＦＣ００３）に対応する点検回数を「０」とする（ステップＳＴ１２Ａ６）。（イメージ図である図１２Ｂを参照）
次いで、地図情報処理部Ｇ０１は、作業者別点検時間管理テーブルＴ００６の追加した設備ＩＤのレコード（例えば、設備ＩＤ＝ＦＣ００３）に対応する「点検済みフラグ」にＦＡＬＳＥを格納する（ステップＳＴ１２Ａ７）。（イメージ図である図１２Ｂを参照）
【００５４】
次いで、図７において、ステップＳＴ７１３で、図１の地図情報処理部Ｇ０１が作業者別点検時間情報を更新すると、図１の地図情報処理部Ｇ０１は、障害要素を更新する（ステップＳＴ７１４）。
図７のステップＳＴ７１４での障害要素更新処理の詳細内容は、図１３Ａのフローチャートに例示してある。
図７のステップＳＴ７１４で地図情報処理部Ｇ０１による作業者別点検時間情報更新処理が行われると、図１３Ａのフローチャートに例示のように、地図情報処理部Ｇ０１は、図１の地図データファイルＤＴ０３の地図データから点検ルート上の障害要素（交通信号、踏み切り等、作業者の移動を停止させる障害要素）を抽出し（ステップＳＴ１３Ａ１）、点検計画管理テーブルＴ００１の「障害リスト」に点検ルート上の障害要素を格納する（ステップＳＴ１３Ａ２）。（イメージ図である図１３Ｂを参照）
【００５５】
次いで、地図情報処理部Ｇ０１は、ステップＳＴ１３Ａ１で抽出した障害要素が障害要素管理テーブルＴ００７に格納済みかどうか判別し（ステップＳＴ１３Ａ３）、ステップＳＴ１３Ａ１で抽出した障害要素が障害要素管理テーブルＴ００７に格納済みではない場合（例えば、複数の障害要素（障害ＩＤ＝ＢＲ００１、ＢＲ００２、ＢＲ００３）のうちの障害ＩＤ＝ＢＲ００３）、地図情報処理部Ｇ０１は、障害要素管理テーブルＴ００７に格納済みではない障害要素（障害ＩＤ＝ＢＲ００３）のレコードを、障害要素管理テーブルＴ００７に追加し（ステップＳＴ１３Ａ４）、障害要素管理テーブルＴ００７を更新する。（イメージ図である図１３Ｂを参照）
【００５６】
地図情報処理部Ｇ０１は、更に、障害要素管理テーブルＴ００７の既存レコードの「計画停止時間」の平均値を算出し（ステップＳＴ１３Ａ５）、
地図情報処理部Ｇ０１は、前記ステップＳＴ１３Ａ５で算出した平均値を、障害要素管理テーブルＴ００７の追加した障害ＩＤのレコード（例えば、障害ＩＤ＝ＢＲ００３）に対応する「計画停止時間」のカラムに格納する（ステップＳＴ１３Ａ６）。（イメージ図である図１３Ｂを参照）
また、追加したレコード（例えば、障害ＩＤ＝ＢＲ００３）に対応する通過回数および停止回数のカラムに「０」を格納する。（イメージ図である図１２Ｂを参照）
【００５７】
前述の設備維持管理業務用地図表示システム及び設備維持管理業務用地図表示装置並びに設備維持管理業務用地図表示方法により、管理者は作業者・点検対象の設備のみを考慮し、速度情報や点検時間の有無などを意識することなく、作業者別に点検業務の計画を追加することができる。
【００５８】
実施の形態２．
以下、この発明の実施の形態２の特徴である「設備の点検業務の計画を修正する手段および方法」を、図１４および図１５によって、「設備の点検業務の計画を削除する手段および方法」を図１６によって、それぞれ説明する。
図１４は、設備の点検業務の計画を修正する場合の操作・動作・処理をフローチャートで説明するための図、図１５は、図１４におけるステップＳＴ１４１〜ＳＴ７５までの点検計画追加の操作・動作・処理のイメージを例示する図、図１６は設備の点検業務の計画を削除する場合のイメージを例示する図である。
なお、前述の実施の形態１における段落００１８〜００３７に記載の図、構成、機能、操作、動作、処理については本実施の形態２においても同じである。
【００５９】
設備の点検業務の計画を修正する場合、先ず、図１４において、管理者は、点検計画管理画面Ｄ００２で点検計画の修正対象（例えば、点検ＩＤ＝ＯＰ００１）を選択し（ステップＳＴ１４１）、管理者は、点検計画管理画面Ｄ００２の修正ボタンを押下する（ステップＳＴ１４２）。（イメージ図である図１５を参照）
ステップＳＴ１４２により、画面制御部Ｇ０３（図１参照）は、画面表示機器ＤＤ（図１参照）の表示画面に地図表示操作画面Ｄ００３を表示する（ステップＳＴ１４３）。
【００６０】
次に、管理者は、地図表示操作画面Ｄ００３上で、マウスを利用して点検対象となっていなかった設備を点検対象の設備に追加する追加選択をし、更に点検対象設備となっていた設備を点検対象外へ変更する（ステップＳＴ１４４）。
ステップＳＴ１４４での操作・処理により地図表示操作部Ｇ０２は、ステップＳＴ１４４で追加選択された点検対象設備を含み点検対象外へ変更された設備を除外した点検ルートを地図表示操作画面Ｄ００３に再表示する（ステップＳＴ１４５）。（イメージ図である図１５を参照）
次に管理者は、地図表示操作画面Ｄ００３の確定ボタンを押下し（イメージ図である図１５を参照）、点検計画の修正が完了する。
【００６１】
以下、地図表示装置ＧＩＳ（図１参照）の内部処理について説明する。
本実施の形態２の図１４におけるステップＳＴ１４６〜ＳＴ１４１０での操作・動作・処理は、前述の実施の形態１の図７におけるステップＳＴ７１０〜ＳＴ７１４での操作・動作・処理と同じである。
【００６２】
前述の実施の形態１と同様に、地図情報処理部Ｇ０１（図１参照）は、地点リストの値を計算し、点検計画管理テーブルＴ００１の該当するレコードの地点リストを計算した値に置き換え、次に地図情報処理部Ｇ０１は、地点管理テーブルＴ００２を更新する（ステップＳＴ１４６）。（図９（図９Ａ、図９Ｂ）およびその前述の説明を参照）
【００６３】
前述の実施の形態１と同様に、地図情報処理部Ｇ０１は、速度リストの値を計算し、点検計画管理テーブルＴ００１の該当するレコードを更新し、次に、地図情報処理部Ｇ０１は、速度管理テーブルＴ００４を更新する（ステップＳＴ１４７）。（図１０（図１０Ａ、図１０Ｂ）およびその前述の説明を参照）
【００６４】
次に、前述の実施の形態１と同様に、地図情報処理部Ｇ０１は、作業者別速度管理テーブルＴ００５を更新し、速度管理テーブルＴ００４にレコードが追加された場合も、前述の実施の形態１と同様に処理が行われる（ステップＳＴ１４８）。（図１１（図１１Ａ、図１１Ｂ）およびその前述の説明を参照）
【００６５】
前述の実施の形態１と同様に、地図情報処理部Ｇ０１は、設備リストの値を計算し、点検計画管理テーブルＴ００１の該当するレコードの設備リストを計算した値に置き換える。設備が指定した作業者ＩＤのレコードに存在しない場合、地図情報処理部Ｇ０１は作業者別点検時間管理テーブルＴ００６を更新する（ステップＳＴ１４９）。（図１２（図１２Ａ、図１２Ｂ）およびその前述の説明を参照）
【００６６】
次に、前述の実施の形態１と同様に、地図情報処理部Ｇ０１は、点検計画管理テーブルＴ００１及び障害要素管理テーブルＴ００７を更新する（ステップＳＴ１４１０）。（図１３（図１３Ａ、図１３Ｂ）およびその前述の説明を参照）
【００６７】
次に、設備の点検業務の計画を削除する場合を、イメージ図である図１６によって説明する。
管理者は、点検計画管理画面Ｄ００２で削除対象の点検計画を選択し削除ボタンを押下する。その後、地図情報処理部Ｇ０１は点検計画管理テーブルＴ００１の該当するレコード削除する。
【００６８】
上述の手段、方法により、管理者は修正する点検計画および点検設備のみを考慮し、速度や点検時間の有無などを意識することなく、作業者別に点検業務の計画を修正することができる。
【００６９】
実施の形態３．
この発明の実施の形態３の特徴である「設備の点検業務の所要時間を作業者別に予測する手段および方法」を、図１７〜図１８Ｄによって説明する。  図１７は設備の点検業務の所要時間を作業者別に予測する場合の操作・動作・処理をフローチャートで説明するための図、図１８Ａおよび図１８Ｂは図１７における操作・動作・処理のイメージ図、図１８Ｃおよび図１８Ｄは図１７における操作・動作・処理の説明図である。
【００７０】
以下、この発明の実施の形態２の特徴である「設備の点検業務の所要時間を作業者別に予測する手段および方法を図１７を主体とし、図１８Ａ、図１８Ｂ、図１８Ｃ、図１８Ｄを参照しながら説明する。
なお、以下の説明は、前述の実施の形態１および実施の形態２により点検計画を登録済みであることを前提とする。
【００７１】
管理者は、点検計画管理画面Ｄ００２（イメージ図である図１８Ａを参照）から点検計画を選択し（ステップＳＴ１７１）（イメージ図である図１８Ａを参照）、予測ボタンを押下する（ステップＳＴ１７２）（イメージ図である図１８Ａを参照）と、画面制御部Ｇ０３（図１を参照）は、画面表示機器ＤＤ（図１を参照）の表示画面に、開始時刻入力画面Ｄ００４を表示する（イメージ図である図１８Ａを参照）。
管理者は、開始時刻入力画面Ｄ００４に出発時刻を入力し、確定ボタンを押下する。
【００７２】
地図情報処理部Ｇ０１は設備間の予測移動時間を（１）式（操作・動作・処理の説明図である図１８Ｃを参照）により算出する（ステップＳＴ１７３）。
次に、地図情報処理部Ｇ０１は、設備の予測点検時間を（２）式（操作・動作・処理の説明図である図１８Ｄを参照）により算出する（ステップＳＴ１７４）。
次に、地図情報処理部Ｇ０１は、終了予測時刻および予測所要時間（３）式（操作・動作・処理の説明図である図１８Ｄを参照）により算出する（ステップＳＴ１７５）。
次に、地図表示操作部Ｇ０２は、点検ルート・設備間の予測移動時間・設備の予測点検時間・予想所要時間・終了予測時刻を地図表示操作画面Ｄ００３に表示する（ステップＳＴ１７５）。
【００７３】
実施の形態４．
この発明の実施の形態４の特徴である「作業者の点検業務の間に移動速度・点検時間・障害要素の時間を動的に更新する手段および方法」を、図１９〜図２３Ｂによって説明する。
図１９は作業者の点検業務の間に移動速度・点検時間・障害要素の時間を動的に更新する場合の操作・動作・処理をフローチャートで説明するための図、図２０は図１９における操作・動作・処理のイメージを例示する図、図２１Ａは図１９におけるステップＳＴ１９４「作業者別速度情報の更新」における操作・動作・処理の詳細な操作・動作・処理をフローチャートで説明するための図、図２１Ｂは図２１Ａに例示の操作・動作・処理の説明およびイメージを例示する図、図２２Ａは図１９におけるステップＳＴ１９５「作業者別点検時間の更新」における操作・動作・処理の詳細な操作・動作・処理をフローチャートで説明するための図、図２２Ｂは図２２Ａに例示の操作・動作・処理の説明およびイメージを例示する図、図２３Ａは図１９におけるステップＳＴ１９６「障害要素の更新」における操作・動作・処理の詳細な操作・動作・処理をフローチャートで説明するための図、図２３Ｂは図２３Ａに例示の操作・動作・処理の説明およびイメージを例示する図である。
【００７４】
点検業務遂行時、作業者はＧＰＳ機能付携帯端末ＧＩＰ（図１を参照）を保持したうえで、管理者が作成した点検ルートに従い点検業務を遂行する。
また、本実施の形態４の操作・動作・処理は、図１９に記載されたフローチャートおよび当該フローチャートに記載の参照先の図に例示されている。
【００７５】
図１９において、管理者は、点検計画管理画面Ｄ００２から業務状態が”点検中”となった計画から対象を選択し（ステップＳＴ１９１）、点検開始ボタンを押下する（ステップＳＴ１９２）。（イメージ図である図２０を参照）
その後、地図情報処理部Ｇ０１は、作業者が１つ目の点検対象設備付近に到着し、移動を開始した時点で（ステップＳＴ１９３）、作業者が保持しているＧＰＳ機能付携帯端末ＧＩＰから送信される位置情報を一定間隔の時刻において取得し、移動速度・点検時間・障害要素の時間の動的算出を開始する。
【００７６】
（４）式（図２１Ｂを参照）で、地図情報処理部Ｇ０１は、地点間の作業者（ＧＰＳ機能付携帯端末ＧＩＰ）の移動速度（実績速度）を算出する（図２１ＡのステップＳＴ２１Ａ１）。
次に、地図情報処理部Ｇ０１は、作業者別速度管理テーブルＴ００５の該当レコードに格納された実績速度を、（4）式（図２１Ｂを参照）で算出した現在の作業者の実際の移動速度に置き換える（図２１ＡのステップＳＴ２１Ａ３）。
次に、地図情報処理部Ｇ０１は同テーブルの該当レコードの計画速度を（５）式で算出された値（計画速度の更新値）で更新する。次に地図情報処理部Ｇ０１は同テーブルの移動回数に１を加算する（図２１Ｂを参照）（図２１Ｂを参照）。
【００７７】
地図情報処理部Ｇ０１は、作業者別点検時間管理テーブルＴ００６の該当レコードの点検回数に１を加算する（図２１ＡのステップＳＴ２１Ａ５）。
次に、地図情報処理部Ｇ０１は該当レコードに格納された実績点検時間を（６）式で算出した値に置き換える。
次に、地図情報処理部Ｇ０１は同テーブルの該当レコードに格納された計画点検時間を（７）式で算出された値で更新する。次に地図情報処理部Ｇ０１は同テーブルの点検済みフラグをＴＲＵＥに設定する。
【００７８】
障害要素付近で停止することなく通過した場合、地図情報処理部Ｇ０１は障害要素管理テーブルＴ００７のレコードの通過回数に１を加算する。
障害要素で停止した場合、地図情報処理部Ｇ０１は当該レコードの停止回数に１を加算する。次に地図情報処理部Ｇ０１は同テーブルの実績停止時間を（８）式で算出した値に置き換える。次に地図情報処理部Ｇ０１は（９）式で計画停止時間を更新する。
上述の方法により、作業者の移動に伴い、移動速度・点検時間・障害要素の情報を動的に更新することができる。
【００７９】
実施の形態５．
この発明の実施の形態４の特徴である「管理者が作業者の点検業務の進捗および予想終了時間を把握する手段および方法」を、図２４〜図２５Ｉによって説明する。
図２４は管理者が作業者の点検業務の進捗および予想終了時間を把握する場合の操作・動作・処理をフローチャートで説明するための図、図２５Ａはイメージを例示する図、図２５Ｂはイメージを例示する図、図２５Ｃは図２４のステップＳＴ２４３およびステップＳＴ２４３における動作・処理の詳細な動作・処理をフローチャートで例示する図、図２５Ｄはイメージを例示する図、図２５Ｅは図２４のステップＳＴ２４３およびステップＳＴ２４３における動作・処理の詳細な動作・処理をフローチャートで例示する図、図２５Ｆはイメージを例示する図、図２５Ｇは図２４のステップＳＴ２４３およびステップＳＴ２４３における動作・処理の詳細な動作・処理をフローチャートで例示する図、図２５Ｈは未点検設備への予測移動時間、未点検設備の予測点検時間の算出の説明図、図２５Ｉは図２４のステップＳＴ２４３およびステップＳＴ２４３における動作・処理の詳細な動作・処理をフローチャートで例示する図である。
【００８０】
本実施の形態５は、前述の実施の形態４における段落００７４および００７５の記載内容を前提としている。
【００８１】
図２４〜図２５Ｉにおいて、管理者は、点検計画管理画面Ｄ００２から業務状態が”点検中”となった計画から対象を選択し（図２４のステップＳＴ２４１）、進捗確認ボタンを押下する（図２４のステップＳＴ２４２）。（イメージ図である図２５Ａを参照）
【００８２】
図２４のステップＳＴ２４２の操作をすると、地図表示操作部Ｇ０２は作業者の現在位置から通過済み点検ルートを算出し（図２４のステップＳＴ２４３）、地図表示操作部Ｇ０２がそれらを地図表示操作画面Ｄ００３に表示する（図２４のステップＳＴ２４４）。（イメージ図である図２５Ａ、図２５Ｄを参照）
【００８３】
地図情報処理部Ｇ０１は作業者別点検時間管理テーブルＴ００６の点検済みフラグから点検済みの設備を判別し（図２５ＣのステップＳＴ２５Ｃ４、ＳＴ２５Ｃ５）、地図表示操作部Ｇ０２がそれらを地図表示操作画面Ｄ００３に表示する（図２５ＣのステップＳＴ２５Ｃ６）。（イメージ図である図２５Ａ、図２５Ｄを参照）
【００８４】
地図情報処理部Ｇ０１は、点検済み設備への移動時間の計画値を（１）式で、移動時間の実績値を（１０）式で算出し（図２４のステップＳＴ２４３、図２５ＥのステップＳＴ２５Ｅ１、ＳＴ２５Ｅ２）、地図表示操作部Ｇ０２はそれらを地図表示操作画面Ｄ００３に表示する（図２４のステップＳＴ２４４、図２５ＥのステップＳＴ２５Ｅ３）。（イメージ図である図２５Ａ、図２５Ｂ、図２５Ｆを参照）
【００８５】
次に、地図情報処理部Ｇ０１は点検済み設備の点検時間の計画値を（２）式で、点検時間の実績値を（１１）式で算出し（図２４のステップＳＴ２４３、図２５ＥのステップＳＴ２５Ｅ４、ＳＴ２５Ｅ５）、地図表示操作部Ｇ０２がそれらを地図表示操作画面Ｄ００３に表示する（図２４のステップＳＴ２４４、図２５ＥのステップＳＴ２５Ｅ６）。（イメージ図である図２５Ａ、図２５Ｂ、図２５Ｆを参照）
【００８６】
次に、地図情報処理部Ｇ０１は未点検設備への移動時間の計画値を（１）式で、移動時間の予測値を（１０）式で算出し（図２４のステップＳＴ２４３、図２５ＧのステップＳＴ２５Ｇ１、ＳＴ２５Ｇ２）、地図表示操作部Ｇ０２がそれらを地図表示操作画面Ｄ００３に表示する（図２４のステップＳＴ２４４、図２５ＧのステップＳＴ２５Ｇ３）。（イメージ図である図２５Ａ、図２５Ｂ、図２５Ｆを参照）
【００８７】
次に、地図情報処理部Ｇ０１は未点検設備の点検時間の計画値を（２）式で、点検時間の予測値を（１４）式で算出し（図２４のステップＳＴ２４３、図２５ＧのステップＳＴ２５Ｇ４、ＳＴ２５Ｇ５）、地図表示操作部Ｇ０２がそれらを地図表示操作画面Ｄ００３に表示する（図２４のステップＳＴ２４４、図２５ＧのステップＳＴ２５Ｇ６）。（イメージ図である図２５Ａ、図２５Ｂ、図２５Ｆ、図２５Ｈを参照）
【００８８】
次に、地図情報処理部Ｇ０１は終了時刻の予測値を（１６）式で算出し（図２４のステップＳＴ２４３、図２５ＩのステップＳＴ２５Ｉ１）、地図表示操作部Ｇ０２がそれらを地図表示操作画面Ｄ００３に表示する（図２４のステップＳＴ２４４、図２５ＩのステップＳＴ２５Ｉ３）。（イメージ図である図２５Ａ、図２５Ｂ、図２５Ｆを参照）
【００８９】
次に地図情報処理部Ｇ０１は所要時間の予測値を（１７）式で算出し（図２４のステップＳＴ２４３、図２５ＩのステップＳＴ２５Ｉ２）、地図表示操作部Ｇ０２がそれらを地図表示操作画面Ｄ００３に表示する（図２４のステップＳＴ２４４、図２５ＩのステップＳＴ２５Ｉ３）。（イメージ図である図２５Ａ、図２５Ｂ、図２５Ｆを参照）
【００９０】
上記情報の表示が更新されるタイミングは、設備の点検が完了した時点とする。
【００９１】
上述の手段および方法により、管理者は複雑な操作を実施することなく、作業者の点検業務の進捗および予測終了時間を把握することができる。
【００９２】
実施の形態６.
この発明の実施の形態４の特徴である「作業者の点検業務の間に、点検計画を修正する手段および方法」、図２６および図２７によって説明する。この「作業者の点検業務の間に、点検計画を修正する手段および方法」は点検業務の間、交通事故などにより迂回が必要となった場合、管理者が点検計画を修正する場合を想定している。
図２６は作業者の点検業務の間に、点検計画を修正する場合の操作・動作・処理をフローチャートで説明するための図、図２７は図２６の操作・動作・処理のイメージを例示する図である。
【００９３】
本実施の形態６は、前述の実施の形態４における段落００７４および００７５の記載内容を前提としている。
【００９４】
図２６および図２７において、管理者は、点検計画管理画面Ｄ００２から、業務状態が”点検中”となった計画から対象を選択し（ステップＳＴ２６１）、修正ボタンを押下する（ステップＳＴ２６２）。（イメージ図である図２７を参照）
管理者は、マウスを利用して地図表示操作画面Ｄ００３に迂回地点を登録する（ステップＳＴ２６４）。（イメージ図である図２７を参照）
なお、迂回地点は複数登録することができる。
【００９５】
次に、地図情報処理部Ｇ０２は、迂回地点、次の点検対象の設備を元に、以降の点検ルートを地図表示操作画面Ｄ００３に表示する（以降、この点検ルートを”修正点検ルート”と呼称する）（ステップＳＴ２６５）。（イメージ図である図２７を参照）
【００９６】
次に、管理者は、地図表示操作画面Ｄ００３の確定ボタンを押下する（ステップＳＴ２６６）。（イメージ図である図２７を参照）
【００９７】
次に、地図情報処理部Ｇ０１は、修正点検ルートにしたがって、段落番号００６２と同様の手段および方法で点検計画管理テーブルＴ００１および地点管理テーブルＴ００２を更新する（ステップＳＴ２６７）。（図９（図９Ａ、図９Ｂ）を参照）
次に地図情報処理部Ｇ０１は、修正点検ルートにしたがって、段落番号００６３と同様の手段および方法で、点検計画管理テーブルＴ００１および速度管理テーブルＴ００４を更新する（ステップＳＴ２６８）。（図１０（図１０Ａ、図１０Ｂ）を参照）
次に地図情報処理部Ｇ０１は、修正点検ルートにしたがって、段落番号００６４と同様の手段および方法で、作業者別速度管理テーブルＴ００５を更新する（ステップＳＴ２６９）。（図１１（図１１Ａ、図１１Ｂ）を参照）
【００９８】
次に地図情報処理部Ｇ０１は、修正点検ルートにしたがって、段落番号００６５と同様の手段および方法で、点検計画管理テーブルＴ００１および作業者別検時間管理テーブルＴ００６を更新する（ステップＳＴ２６１０）。（図１２（図１２Ａ、図１２Ｂ）を参照）
次に地図情報処理部Ｇ０１は、修正点検ルートにしたがって、段落番号００６６と同様の手段および方法で、点検計画管理テーブルＴ００１および障害要素管理テーブルＴ００７を更新する（ステップＳＴ２６１１）。（図１３（図１３Ａ、図１３Ｂ）を参照）
【００９９】
上述の手段および方法により、管理者は複雑な操作を実施することなく、業者の点検業務の間に、点検計画を修正することができる。
【０１００】
なお、図１における画面表示機器ＤＤの表示画面には、図８Ａ、図８Ｂ、・・・に図示の画面が表示され、ＧＰＳ機能付き携帯端末ＧＩＰの表示画面には、図・・・に図示の画面が表示される。
【０１０１】
前述のように、実施の形態１〜６は、管理者が点検作業者・点検対象の設備を指定し、地図表示装置が地点情報・速度情報・点検時間・障害要素（信号・踏み切り）における停止時間をＤＢに追加することで、設備点検業務の計画を作業者別に追加する方法・システム・装置であり、また、管理者が点検対象の設備を追加・点検対象外へ変更し、地図表示装置がＤＢに格納された地点・速度情報・点検時間・障害要素における停止時間を更新することで、設備点検業務の計画を作業者別に修正する方法・システム・装置であり、また、ＤＢに格納された作業者別の速度情報・点検時間、管理者が選択した点検対象の設備をもとに、地図表示装置が設備点検業務の作業者別の予測所要時間を算出し、地図上に表示する方法・システム・装置であり、また、管理者が作成した点検計画に従って作業者が点検業務を実施する際、作業者が保持しているＧＰＳ機能付携帯端末から取得できる位置情報をもとに、移動速度・点検時間・障害要素における待ち時間を算出し、それらの情報を格納したＤＢを動的に更新する方法・システム・装置であり、また、管理者が作成した点検計画に従って作業者が点検業務を実施する際、作業者が保持しているＧＰＳ機能付携帯端末から取得できる位置情報をもとに、地図表示装置が通過した点検ルート、点検済み設備、移動時間の実績値、点検時間の実績値を算出し地図上に表示する方法・システム・装置であり、また、地図表示装置が移動時間および点検時間の計画値と実績値の差異をもとに点検業務の終了時間の予測値・所要時間の予測値を算出し地図上に表示する方法・システム・装置であり、また、管理者が作成した点検計画に従って作業者が点検業務を実施する際、管理者が地図上に表示された作業者の点検ルートに迂回地点を登録することで、地図表示装置が点検ルートを変更し、ＤＢに格納された地点・速度情報・点検時間・障害要素における停止時間を更新する方法・システム・装置であり、また、画面表示機器から複数の点検作業者および点検対象の設備を指定し、地図表示装置が前記点検作業者が所有する端末装置からのＧＰＳ情報に基づいて地点情報、前記点検作業者が移動する速度情報、点検時間、前記点検作業者の移動を停止させる障害要素における前記点検作業者の停止時間をデータ格納部に追加することにより設備点検業務の計画を作業者別に追加する方法・システム・装置であり、また、前記画面表示機器から新たな点検対象の設備を追加すると共に既存の点検対象の設備を点検対象外へ変更し、前記地図表示装置が前記データ格納部に格納された前記地点情報、前記速度情報、前記点検時間、及び前記障害要素における停止時間を更新することにより設備点検業務の計画を作業者別に修正する方法・システム・装置であり、また、前記データ格納部に格納された作業者別の前記速度情報、前記点検時間、及び選択された前記点検対象の設備の各情報に基づいて、前記地図表示装置が設備点検業務の作業者別の予測所要時間を算出し、前記画面表示機器の画面に表示された地図の上に表示する方法・システム・装置であり、また、作成した点検計画に従って前記点検作業者が点検業務を実施している間に、前記ＧＰＳ情報による位置情報をもとに、前記移動速度、前記点検時間、前記障害要素における待ち時間を算出し、この算出に基づいて、前記データ格納部に格納された作業者別の前記速度情報、前記点検時間、及び前記障害要素における待ち時間の情報を動的に更新する方法・システム・装置であり、また、前記ＧＰＳ情報による位置情報をもとに、前記地図表示装置が、前記点検作業者が通過した点検ルート、点検済みの前記設備、前記点検作業者の移動時間の実績値、及び前記点検時間の実績値を算出し、この算出に基づいて点検業務の進捗状況を前記画面表示機器の画面に表示された地図の上に表示する方法・システム・装置であり、また、前記ＧＰＳ情報による位置情報をもとに、地図表示装置が、前記点検作業者の移動時間および前記点検時間の計画値と実績値との差異に基づいて点検業務の終了時間の予測値、及び点検所要時間の予測値を算出し、この算出した点検業務の終了時間の予測値、及び点検所要時間の予測値を、前記画面表示機器の画面に表示された地図の上に表示する方法・システム・装置であり、また、前記画面表示機器の画面に表示された地図の上に表示された作業者の点検ルートに迂回地点を、前記画面表示機器の画面に表示された地図の上に指定することにより、地図表示装置が前記点検ルートを変更し、前記データ格納部に格納された前記地点情報、前記速度情報、前記点検時間、前記障害要素における停止時間を更新する方法・システム・装置であり、また、画面表示機器から複数の点検作業者および点検対象の設備が指定され、前記点検作業者が所有する端末装置からのＧＰＳ情報に基づいて地点情報、前記点検作業者が移動する速度情報、点検時間、前記点検作業者の移動を停止させる障害要素における前記点検作業者の停止時間がデータ格納部に追加されることにより設備点検業務の計画が作業者別に追加される方法・システム・装置であり、また、前記画面表示機器から新たな点検対象の設備が追加されると共に既存の点検対象の設備が点検対象外へ変更されることにより、前記データ格納部に格納された前記地点情報、前記速度情報、前記点検時間、及び前記障害要素における停止時間が更新され設備点検業務の計画が作業者別に修正される方法・システム・装置であり、また、前記データ格納部に格納された作業者別の前記速度情報、前記点検時間、及び選択された前記点検対象の設備の各情報に基づいて、設備点検業務の作業者別の予測所要時間を算出し、前記画面表示機器の画面に表示された地図の上に表示する方法・システム・装置であり、また、作成した点検計画に従って前記点検作業者が点検業務を実施している間に、前記ＧＰＳ情報による位置情報をもとに、前記移動速度、前記点検時間、前記障害要素における待ち時間を算出し、この算出に基づいて、前記データ格納部に格納された作業者別の前記速度情報、前記点検時間、及び前記障害要素における待ち時間の情報を動的に更新する方法・システム・装置であり、また、前記ＧＰＳ情報による位置情報をもとに、前記点検作業者が通過した点検ルート、点検済みの前記設備、前記点検作業者の移動時間の実績値、及び前記点検時間の実績値を算出し、この算出に基づいて点検業務の進捗状況を前記画面表示機器の画面に表示された地図の上に表示する方法・システム・装置であり、また、前記ＧＰＳ情報による位置情報をもとに、前記点検作業者の移動時間および前記点検時間の計画値と実績値との差異に基づいて点検業務の終了時間の予測値、及び点検所要時間の予測値を算出し、この算出した点検業務の終了時間の予測値、及び点検所要時間の予測値を、前記画面表示機器の画面に表示された地図の上に表示する方法・システム・装置である。
【０１０２】
なお、本発明は、その発明の範囲内において、各実施の形態を適宜、変形、省略することができる。
なお、各図中、同一符合は同一または相当部分を示す。
【符号の説明】
【０１０３】
ＣＣ      通信キャリア、          ＤＤ      画面表示機器、
ＤＴＭ    データ格納部、          ＧＩＳ  （地図表示装置）、
ＤＴ０１  業務ＤＢ、              ＤＴ０２  設備ＤＢ、
ＤＴ０３  地図データファイル、    Ｇ０１    地図情報処理部、
Ｇ０２    地図表示操作部、        Ｇ０３    画面制御部、
ＧＩＰ    ＧＰＳ機能付き携帯端末、Ｔ００１  点検計画管理テーブル、
Ｔ００２  地点管理テーブル、      Ｔ００３  作業者管理テーブル、
Ｔ００４  速度管理テーブル、      Ｔ００５  作業者別速度管理テーブル、
Ｔ００６  作業者別点検時間管理テーブル、
Ｔ００７  障害要素管理テーブル、  Ｔ００８  設備管理テーブル。
【図１Ａ】
2014191715.tif 000003
【図１Ｂ】
2014191715.tif 000004
【図２】
2014191715.tif 000005
【図３】
2014191715.tif 000006
【図４】
2014191715.tif 000007
【図５】
2014191715.tif 000008
【図６Ａ】
2014191715.tif 000009
【図６Ｂ】
2014191715.tif 000010
【図６Ｃ】
2014191715.tif 000011
【図６Ｄ】
2014191715.tif 000012
【図６Ｅ】
2014191715.tif 000013
【図７】
2014191715.tif 000014
【図８Ａ】
2014191715.tif 000015
【図８Ｂ】
2014191715.tif 000016
【図９Ａ】
2014191715.tif 000017
【図９Ｂ】
2014191715.tif 000018
【図１０Ａ】
2014191715.tif 000019
【図１０Ｂ】
2014191715.tif 000020
【図１１Ａ】
2014191715.tif 000021
【図１１Ｂ】
2014191715.tif 000022
【図１２Ａ】
2014191715.tif 000023
【図１２Ｂ】
2014191715.tif 000024
【図１３Ａ】
2014191715.tif 000025
【図１３Ｂ】
2014191715.tif 000026
【図１４】
2014191715.tif 000027
【図１５】
2014191715.tif 000028
【図１６】
2014191715.tif 000029
【図１７】
2014191715.tif 000030
【図１８Ａ】
2014191715.tif 000031
【図１８Ｂ】
2014191715.tif 000032
【図１８Ｃ】
2014191715.tif 000033
【図１８Ｄ】
2014191715.tif 000034
【図１９】
2014191715.tif 000035
【図２０】
2014191715.tif 000036
【図２１Ａ】
2014191715.tif 000037
【図２１Ｂ】
2014191715.tif 000038
【図２２Ａ】
2014191715.tif 000039
【図２２Ｂ】
2014191715.tif 000040
【図２３Ａ】
2014191715.tif 000041
【図２３Ｂ】
2014191715.tif 000042
【図２４】
2014191715.tif 000043
【図２５Ａ】
2014191715.tif 000044
【図２５Ｂ】
2014191715.tif 000045
【図２５Ｃ】
2014191715.tif 000046
【図２５Ｄ】
2014191715.tif 000047
【図２５Ｅ】
2014191715.tif 000048
【図２５Ｆ】
2014191715.tif 000049
【図２５Ｇ】
2014191715.tif 000050
【図２５Ｈ】
2014191715.tif 000051
【図２５Ｉ】
2014191715.tif 000052
【図２６】
2014191715.tif 000053
【図２７】
2014191715.tif 000054